(57)【要約】【課題】リテーナの係止解除操作を容易に行えるようにする。【解決手段】コネクタ１０、１０Ａは、ハウジング２０のキャビティ２１内に進入して端子金具８０を抜け止めするリテーナ５０を備える。リテーナ５０は、ハウジング２０への装着方向と略平行に突出する一対のアーム部５２と、両アーム部５２の基端同士を互いに連結する連結部５１とを有している。両アーム部５２の内面には、ハウジング２０の外面に形成された本係止部３７と係止可能なロック部５５が形成されており、ロック部５５が本係止部３７を係止することで、リテーナ５０が本係止位置に保持される。両アーム部５２の突出方向の先端面は、リテーナ５０が本係止位置に保持されたときに、外方に露出して配される露出面６３とされている。【選択図】図１２
2010067469.tif 000002
【特許請求の範囲】
【請求項１】
端子金具を挿入可能なキャビティを有するハウジングと、
前記ハウジングに装着され、前記キャビティ内に進入して前記端子金具を抜け止めする抜止部を有するリテーナとを備え、
前記リテーナは、前記ハウジングへの装着方向と略平行に突出する一対のアーム部と、前記両アーム部の基端同士を互いに連結する連結部とを有し、
前記両アーム部の内面には、前記ハウジングの外面に形成されたロック受け部と係止可能なロック部が形成されており、前記ロック部が前記ロック受け部を係止することで、前記リテーナが前記ハウジングに跨嵌した状態で保持されるようになっているコネクタであって、
前記リテーナが前記ハウジングに保持されたときに、前記両アーム部の突出方向の先端面が外方に露出して配されることを特徴とするコネクタ。
【請求項２】
前記リテーナが前記ハウジングに保持されたときに、前記両アーム部の突出方向の先端面が、前記ハウジングの外面と同じ高さ位置、又は前記ハウジングの外面よりも内側に引っ込んだ位置に配される請求項１記載のコネクタ。
【請求項３】
前記両アーム部の突出方向の先端部には、前記ハウジングへの装着方向と略直交する向きに張り出すことで、前記先端面の面積を増大させる張出部が形成されている請求項１又は２記載のコネクタ。
【請求項４】
前記ハウジングの外面には、前記張出部を挟んだ両側に、一対ずつの保護部が形成され、前記リテーナが前記ハウジングに保持された状態で、前記ハウジングを正面視及び背面視すると、前記張出部が前記保護部によって隠れるようになっている請求項３記載のコネクタ。
【請求項５】
前記ハウジングの外面には、相手側のコネクタを嵌合状態に保持するロックアームが突設されており、かつ前記ロックアームを挟んだ両側に、前記リテーナにおける前記先端面とは別の端面が臨む窓部が開口して形成されている請求項１ないし４のいずれか１項記載のコネクタ。
【発明の詳細な説明】
【技術分野】
【０００１】
本発明は、コネクタに関する。
【背景技術】
【０００２】
従来より、リテーナ付きのコネクタが知られている。例えば、特許文献１に記載のコネクタは、端子金具を挿入可能な複数のキャビティを有するハウジングと、ハウジングに対して端子金具の挿入方向と交差する側方から装着されるリテーナとを備えて構成されている。リテーナは端子金具を係止可能な抜止部を有し、リテーナがハウジングに正規に装着されると、抜止部がキャビティ内に進入して端子金具を抜け止め係止するようになっている。
【０００３】
上記のリテーナは、ハウジングへの装着方向と略平行に突出する一対のアーム部と、両アーム部の基端同士を互いに連結する連結部とを有し、両アーム部の内面には、爪状のロック部が対をなして形成されている。また、ハウジングの両側面には両アーム部が被着される凹部が前後の領域よりも一段低くなって形成されており、この凹部の底面にはロック部を受ける爪状のロック受け部が突出して形成されている。このロック受け部にロック部が弾性的に係止することで、リテーナがハウジングに抜け止め状態で保持されるようになっている。こうしてリテーナがハウジングに保持された状態では、両アーム部の外縁が凹部の内縁によって覆われた状態となる。
【特許文献１】特開２００８−９８０２１公報
【発明の開示】
【発明が解決しようとする課題】
【０００４】
ところで、ハウジングに対するリテーナの係止状態を解除するには、両アームの外縁と凹部の内縁との間に先端尖がり状の治具を滑り込ませ、さらに治具をこじって両アーム部を拡開変形させ、その状態でリテーナを押し下げるという作業が行われる。しかるにこの場合に、治具を無理やりこじ上げたりすると、両アーム部の外縁やロック部が治具によって損傷することがある。また、作業工程の中でリテーナの移動操作を複数回に亘って行わざるを得ない場合があり、かかる場合に、上記のような煩雑な作業を行っていたのでは作業効率が悪いという事情もある。
【０００５】
本発明は上記のような事情に基づいて完成されたものであって、リテーナの係止解除操作を容易に行えるようにすることを目的とする。
【課題を解決するための手段】
【０００６】
上記の目的を達成するための手段として、請求項１の発明は、端子金具を挿入可能なキャビティを有するハウジングと、前記ハウジングに装着され、前記キャビティ内に進入して前記端子金具を抜け止めする抜止部を有するリテーナとを備え、前記リテーナは、前記ハウジングへの装着方向と略平行に突出する一対のアーム部と、前記両アーム部の基端同士を互いに連結する連結部とを有し、前記両アーム部の内面には、前記ハウジングの外面に形成されたロック受け部と係止可能なロック部が形成されており、前記ロック部が前記ロック受け部を係止することで、前記リテーナが前記ハウジングに跨嵌した状態で保持されるようになっているコネクタであって、前記リテーナが前記ハウジングに保持されたときに、前記両アーム部の突出方向の先端面が外方に露出して配される構成としたところに特徴を有する。
【０００７】
請求項２の発明は、請求項１に記載のものにおいて、前記リテーナが前記ハウジングに保持されたときに、前記両アーム部の突出方向の先端面が、前記ハウジングの外面と同じ高さ位置、又は前記ハウジングの外面よりも内側に引っ込んだ位置に配されるところに特徴を有する。
【０００８】
請求項３の発明は、請求項１又は２に記載のものにおいて、前記両アーム部の突出方向の先端部には、前記ハウジングへの装着方向と略直交する向きに張り出すことで、前記先端面の面積を増大させる張出部が形成されているところに特徴を有する。
【０００９】
請求項４の発明は、請求項３に記載のものにおいて、前記ハウジングの外面には、前記張出部を挟んだ両側に、一対ずつの保護部が形成され、前記リテーナが前記ハウジングに保持された状態で、前記ハウジングを正面視及び背面視すると、前記張出部が前記保護部によって隠れるようになっているところに特徴を有する。
【００１０】
請求項５の発明は、請求項１ないし４のいずれか１項記載のものにおいて、前記ハウジングの外面には、相手側のコネクタを嵌合状態に保持するロックアームが突設されており、かつ前記ロックアームを挟んだ両側に、前記リテーナにおける前記先端面とは別の端面が臨む窓部が開口して形成されているところに特徴を有する。
【発明の効果】
【００１１】
＜請求項１の発明＞
リテーナがハウジングに保持されたときに、両アーム部の突出方向の先端面が外方に露出して配置されるから、前記先端面に対して外方から治具又は指を押し当てることにより、リテーナのロック部とハウジングのロック受け部との係止状態（リテーナの係止状態）が難なく解除される。その結果、両アームの外縁やロック部が治具等によって損傷する事態が回避される。
【００１２】
＜請求項２の発明＞
リテーナがハウジングに保持されたときに、両アーム部の突出方向の先端面が、ハウジングの外面と同じ高さ位置、又はハウジングの外面よりも内側へ引っ込んだ位置に配されるから、前記先端面に外方から異物が干渉する可能性を低く抑えることができる。したがって、前記先端面が外方へ露出して配されるという事情があっても、前記先端面に異物が干渉してリテーナの係止状態が偶発的に解除されるのを回避できる。
【００１３】
＜請求項３の発明＞
両アーム部の突出方向の先端部にはハウジングへの装着方向と略直交する向きに張り出すことで、前記先端面の面積を増大させる張出部が形成されているから、この張出部の先端面に治具を無理なく係合させることができ、リテーナの係止解除操作をいっそう容易に行うことができる。
【００１４】
＜請求項４の発明＞
ハウジングを正面視及び背面視すると、張出部が保護部によって隠れるようになっているから、異物が張出部と干渉するのが保護部によって防止され、リテーナの係止状態が偶発的に解除されるのを回避できる。また、請求項２の発明の構成を含む場合には、その効果がより顕著に発揮される。
【００１５】
＜請求項５の発明＞
ハウジングの外面には、ロックアームを挟んだ両側に、リテーナにおける前記先端面とは別の端面が臨む窓部が開口して形成されているから、前記先端面に加えて窓部に臨む端面にも治具を係合させることにより、リテーナの係止状態をバランスよく解除することができる。しかも、前記別の端面が異物と干渉する可能性がロックアームの保護によって低く抑えられ、リテーナの係止解除操作の信頼性が向上する。
【発明を実施するための最良の形態】
【００１６】
＜実施形態１＞
本発明の実施形態１を図１ないし図１３によって説明する。本実施形態に係るコネクタ１０は、相手側コネクタ（図示せず）と嵌合可能とされ、ハウジング２０、リテーナ５０及び端子金具８０を備えて構成されている。なお、以下の説明において、前後方向については相手側コネクタとの嵌合面側を前方とする。
【００１７】
ハウジング２０は合成樹脂製であって、全体として角ブロック状をなし、図１に示すように、端子金具８０を挿入可能な複数のキャビティ２１を有するハウジング本体２２と、ハウジング本体２２の前面に被着される別体のフロント部材２３とを備えている。キャビティ２１はハウジング本体２２において高さ方向（上下方向）に複数段、図示する場合は２段で、かつ幅方向に複数列、図示する場合は６列に分かれて整列に配置されている。ハウジング本体２２の上面の幅方向中央部には、フロント部材２３の上面上方の位置から後方へ向けて片持ち状に延びるロックアーム２４が形成されている。ロックアーム２４の上面にはロック突起２５が形成され、ロック突起２５が相手側コネクタを弾性的に係止することで、両コネクタが嵌合状態に保持されるようになっている。
【００１８】
ハウジング本体２２の上面の幅方向両端部には、図２に示すように、ロックアーム２４を挟むようにして一対の保護壁２６が立ち上げて形成されている。ロックアーム２４は、両保護壁２６によって異物との干渉を回避可能とされている。ハウジング本体２２におけるキャビティ２１の内面には撓み可能なランス２７が前方へ向けて片持ち状に突出して形成されている。フロント部材２３は、ランス２７の前方に位置してランス２７を保護する役割を担っており、キャビティ２１の前部を有するとともに、その前面に相手側端子金具（図示せず）の雄タブを挿通可能なタブ挿通孔２８を有している。
【００１９】
キャビティ２１内に挿入される端子金具８０は導電性の金属板を曲げ加工等して一体に形成され、雄タブを受容して相手側端子金具と接続可能な筒状の接続本体部８１と、接続本体部８１よりも後方に位置して電線９０の端末にかしめ付けられるオープンバレル状のバレル部８２とを有している。接続本体部８１の側壁には、ランス２７に係止されるランス受け部８３が形成されている。また、接続本体部８１の後端縁は、リテーナ５０に係止されるリテーナ受け部８４とされ、高さ方向に切り立って配置されている。
【００２０】
ハウジング２０の両側面の前後方向中間部には、図４及び図７に示すように、前後の領域よりも一段落ちた凹部２９が高さ方向に貫通して形成されている。凹部２９の底面は、高さ方向に真直ぐ帯状に延びるリテーナ５０の装着面３１とされている。また、ハウジング２０の両側面における凹部２９を挟んだ前後の領域は前後一対ずつのガイド壁３３とされ、ガイド壁３３の両対向縁には、高さ方向の全長に亘ってアリ溝３４が凹部２９に開口して形成されている。
【００２１】
ハウジング本体２２の下面には、リテーナ５０が装着される装着孔３５が凹設されている。装着孔３５は、ハウジング本体２２の下面と両装着面３１との３面に跨って開口され、上下２段の全キャビティ２１に通じる深さをもって構成されている。
【００２２】
ハウジング本体２２の装着面３１のうち装着孔３５の上縁上方には、仮係止部３６と本係止部３７とが高さ方向に並んで形成されている。仮係止部３６は、本係止部３７よりも下方に位置し、図５に示すように、その上面が略水平な仮係止受け面３８とされ、その下面が突出端側へ行くほど上向きに傾斜する仮案内受け面３９とされている。一方、本係止部３７は、その上面が突出端側へ行くほど下向きに傾斜する本係止受け面４１とされ、その下面が突出端側へ行くほど上向きに傾斜する本案内受け面４２とされている。仮係止部３６と本係止部３７との間の空間には、後述するロック部５５が適合して嵌合するようになっている。
【００２３】
そして、ハウジング本体２２の両側面には、凹部２９を挟んだ前後両側に、両ガイド壁３３（保護壁２６でもある）の上縁の全長に亘って前後方向に延びるとともに側方へ張り出す庇状の保護部４３が前後に対をなして形成されている。
【００２４】
続いてリテーナ５０について説明する。リテーナ５０は合成樹脂製であって、いわゆるサイドリテーナと称され、ハウジング本体２２の装着孔３５に対して端子金具８０の挿抜方向と交差（詳細には直交）する側方（図示する場合は下方）から装着され、仮係止位置と本係止位置とを高さ方向（リテーナ５０のハウジング２０への装着離脱方向）に移動可能とされている。このリテーナ５０は、図８及び図９に示すように、高さ方向に延びる一対のアーム部５２と、両アーム部５２の基端同士を互いに連結して幅方向に延びる連結部５１とを有して、両アーム部５２がハウジング２０の装着面３１に被着され、連結部５１がハウジング２０の下壁の一部を構成するようにして、ハウジング２０に跨嵌状態で保持されるようになっている。
【００２５】
連結部５１には、下段のキャビティ２１と対応する位置毎に、端子金具８０を挿通可能な複数の挿通孔５３が横一列に並んで形成されている。各挿通孔５３の内面下縁には、本係止位置にて下段のキャビティ２１に挿入された端子金具８０のリテーナ受け部８４を係止可能な抜止部５４が突出して形成されており、連結部５１の上端にも、下段の抜止部５４と対向する位置に、本係止位置にて上段のキャビティ２１に挿入された端子金具８０を係止可能な抜止部５４が突出して形成されている。
【００２６】
両アーム部５２は、平板状であって連結部５１の上端よりも上方に突出する形態をなし、連結部５１との連結部位を支点として板厚方向（内外方向）に撓み変形可能とされている。両アーム部５２の内面には、仮係止部３６及び本係止部３７と係止可能なロック部５５が突出して形成されている。ロック部５５の上面は突出端側へ行くほど下向きに傾斜する案内面５６とされ、ロック部５５の下面は略水平な係止面５７とされている。ロック部５５の係止面５７が仮係止部３６の仮係止受け面３８を係止することでリテーナ５０が仮係止位置に抜け止め状態に仮保持され、ロック部５５の係止面５７が本係止部３７の本係止受け面４１を係止することでリテーナ５０が本係止位置に仮係止位置側への移動を規制された状態で保持されるようになっている。
【００２７】
また、リテーナ５０がハウジング２０の下方から仮係止位置に向かう過程では、ロック部５５の案内面５６が仮係止部３６の仮案内受け面３９を摺動することで、両アーム部５２が外側に弾性的に拡開され、リテーナ５０が仮係止位置に至るに伴い、両アーム部５２が弾性復元してロック部５５が仮係止部３６を係止するようになっている。同様に、リテーナ５０が仮係止位置から本係止位置に向かう過程では、ロック部５５の案内面５６が本係止部３７の本案内受け面４２を摺動することで、両アーム部５２が外側に弾性的に拡開され、リテーナ５０が本係止位置に至るに伴い、両アーム部５２が弾性復元してロック部５５が本係止部３７を係止するようになっている。
【００２８】
両アーム部５２の前後方向の両端縁には、ハウジング２０のアリ溝３４に嵌合可能なアリ部５８が両アーム部５２の外面をテーパ状に切り欠いて形成されている。アリ部５８がアリ溝３４内にアリ嵌合することにより、リテーナ５０の移動動作が案内されるとともに、両アーム部５２の外側への過度撓みが規制されるようになっている。そして、両アーム部５２の上端部（両アーム部５２の突出方向の先端部）には、前後後方に延びるとともに側方へ張り出す庇状の一対の張出部６１が形成されている。張出部６１は、前後の両アリ部５８の窄み端間に配置され、図５に示すように、その断面形状が保護部４３の断面形状よりも一回り小さい略相似の方形状とされている。リテーナ５０がハウジング２０に対して本係止位置に保持されたときに、図３及び図４に示すように、張出部６１の上面が保護部４３の上面よりも下方に位置し、張出部６１の下面が保護部４３の下面よりも上方に位置し、張出部６１の張出端面が保護部４３の張出端面よりも内側（コネクタ１０の軸芯側）に引っ込んで位置するようになっている。したがって、リテーナ５０が本係止位置にあるときに、ハウジング２０を正面視及び背面視すると、張出部６１は保護部４３によって隠れるようになっている（図２を参照）。
【００２９】
張出部６１の上面（両アーム部５２の突出方向の先端面）は、リテーナ５０が本係止位置にあるときに、ハウジング２０の上面に前後の両保護部４３に挟まれながら視認可能に臨む略水平でかつフラットな露出面６３とされている。この露出面６３は、両アーム部５２における張出部６１以外の部位の断面よりも面積を増加させており、本係止位置にてハウジング２０の上面よりも僅かに低い位置にて前後の両保護部４３の上面と段違いで略平行に並び配される。また、両アーム部５２の下面は、露出面６３と同様、ハウジング２０の下面に両保護部４３に挟まれながら視認可能に臨む略水平でかつフラットな面とされ、本係止位置にてハウジング本体２２の下面とほぼ同じ高さ位置に配される。
【００３０】
次に、本実施形態の作用を説明する。
まず、ハウジング本体２２の装着孔３５に下方からリテーナ５０を挿入し、ハウジング２０にリテーナ５０を組み付ける。図６に示すように、両アーム部５２の撓み動作を伴ったあとロック部５５が仮係止部３６を引掛け状態で係止すると、リテーナ５０が仮係止位置に仮保持される。この状態からハウジング本体２２のキャビティ２１内に後方から端子金具８０を挿入する。正規挿入された端子金具８０は、そのランス受け部８３にランス２７が弾性的に係止することで一次的に抜け止め保持される。
【００３１】
こうして複数のキャビティ２１のうちの一部のキャビティ２１内に端子金具８０を挿入したら、続いて、リテーナ５０を本係止位置に押し込む。図５に示すように、両アーム部５２の撓み動作を伴ったあとロック部５５が本係止部３７を引掛け状態で係止すると、リテーナ５０が本係止位置に保持される。このとき、本係止部３７は、その本係止受け面４１が下方（仮係止位置側）へ傾斜するセミロック構造とされるため、所定以上の力が作用した場合にはロック部５５との係止状態を容易に解除可能とされる。そして、リテーナ５０が本係止位置に至ると、抜止部５４がリテーナ受け部８４とその後方に対峙して端子金具８０が二次的に抜け止め保持される。
【００３２】
次いで、上記によってリテーナ５０を本係止位置に至らせたコネクタ１０を別の作業場に搬送し、そこで残りのキャビティ２１内に端子金具８０を挿入する。端子金具８０を挿入するにあたり、リテーナ５０を本係止位置から仮係止位置に戻す必要があるが、それには以下の治具７０が用意される。
【００３３】
すなわち、図１０に示すように、治具７０は、後方へ向けて開口する組付凹部７１を有する第１部材７２と、第１部材７２の後面に高さ方向にスライド可能に配され、組付凹部７１と通じる操作凹部７４を有する第２部材７３とからなる。組付凹部７１には、コネクタ１０におけるリテーナ５０よりも前方の部分が嵌合保持され、操作凹部７４には、前記嵌合状態においてリテーナ５０の両アーム部５２が配置されるようになっている。また、第２部材７３には、ハウジング２０の上面後部から後面上部にかけて被覆する略Ｌの字状の止め部７５が屈曲して形成され、コネクタ１０は止め部７５によって治具７０に抜け止めされるようになっている。
【００３４】
まず、組付凹部７１と操作凹部７４の両底面が面一で連続する位置に第１部材７２及び第２部材７３を配置し、図１１に示すように、組付凹部７１にハウジング２０の略前半部を嵌合させる。すると、操作凹部７４の内下面が両アーム部５２の下面と当接するとともに、操作凹部７４の内上面が両アーム部５２（張出部６１）の露出面６３との間にやや間隔をあけて平行に対峙する。その状態で、第２部材７３を第１部材７２の後面に摺動させながら押し下げる。すると、操作凹部７４の内上面が両アーム部５２の露出面６３を押接して両アーム部５２に下向きの押圧力を付与し、もってロック部５５の係止面５７が本係止部３７の本係止受け面４１を摺動して両アーム部５２が弾性的に拡開され、ロック部５５と本係止部３７との係止状態が解除される。このとき、止め部７５がハウジング２０の後面と対向して位置することにより、コネクタ１０が後方へ抜け出るのが防止される。その後、第１部材７２に対する第２部材７３の移動が停止されると、ロック部５５が仮係止部３６を係止してリテーナ５０が仮係止位置に仮保持された状態となり、図１２に示すように、操作凹部７４の内上面が両アーム部５２の露出面６３と当接するとともに、操作凹部７４の内下面が両アーム部５２の下面との間にやや間隔をあけて平行に対峙する。
【００３５】
上記の状態で残りのキャビティ２１内に端子金具８０を挿入したら、今度は第２部材７３を第１部材７２の後面に摺動させながら押し上げる。すると、操作凹部７４の内下面が両アーム部５２の下面と押接して両アーム部５２に上向きの押圧力を付与し、もってロック部５５の案内面５６が本係止部３７の本案内受け面４２を摺動して両アーム部５２が弾性的に拡開され、ロック部５５と仮係止部３６との係止状態が解除される。このとき、止め部７５がハウジング２０の後面と対向して位置することにより、コネクタ１０が後方へ抜け出るのが防止される。その後、第１部材７２に対する第２部材７３の移動が停止されると、ロック部５５が本係止部３７を係止してリテーナ５０が本係止位置に保持された状態となり、図１３に示すように、操作凹部７４の内下面が両アーム部５２の下面と当接するとともに、操作凹部７４の内上面が両アーム部５２の露出面６３との間にやや間隔をあけて平行に対峙する。こうしてリテーナ５０が本係止位置に至らしめられると、全てのキャビティ２１内に挿入された端子金具８０のリテーナ受け部８４に抜止部５４が係止することとなる。あとは、コネクタ１０を治具７０から離間して相手側コネクタと嵌合させればよい。
【００３６】
以上説明したように本実施形態によれば、リテーナ５０が本係止位置に保持されたときに、両アーム部５２の露出面６３が外方に露出して配置されるから、露出面６３に対して外方から治具７０を押し当てることにより、ロック部５５と本係止部３７との係止状態（リテーナ５０の係止状態）が難なく解除される。その結果、両アーム部５２の外縁やロック部５５が治具７０等によって損傷する事態が回避される。
【００３７】
また、両アーム部５２の上端部には側方に張り出す張出部６１が形成され、これによって露出面６３の面積が増加するようになっているから、露出面６３と操作凹部７４の内上面との当接代も増加することとなり、リテーナ５０の係止解除操作の信頼性が高められる。
【００３８】
また、リテーナ５０が本係止位置に保持されたときに、両アーム部５２の露出面６３がハウジング２０の上面よりも下方へ引っ込んだ位置に配されるから、露出面６３に外方から異物が干渉する可能性を低く抑えることができる。したがって、露出面６３が外方へ露出して配されるという事情があっても、露出面６３に異物が干渉してリテーナ５０の係止状態が偶発的に解除されるのを回避できる。しかも、本実施形態においては、ハウジング２０を正面視及び背面視すると、張出部６１が保護部４３によって隠れるようになっているから、異物が張出部６１と干渉するのが保護部４３によって全方位的に防止され、リテーナ５０の係止状態が偶発的に解除されるのをより確実に回避できる。
【００３９】
＜実施形態２＞
本発明の実施形態２に係るコネクタ１０Ａを図１４に概略的に示す。
実施形態２では、両アーム部５２の上面が外方に露出して配される露出面６３とされているが、張出部６１を有していない。また、ハウジング２０の上面には、ロックアーム２４を挟む両側でかつロックアーム２４の近傍位置に、一対の窓部４９が開口して形成されている。この窓部４９には、リテーナ５０の連結部５１の上端面等の露出面６３以外の端面６９が臨み、この端面６９が外方から露出して配置されるようになっている。
【００４０】
したがって、実施形態２によれば、露出面６３に加えて窓部４９に臨む端面６９にも治具７０を係合させることにより、治具７０による押圧箇所が幅方向の４箇所に設定されるため、リテーナ５０の係止状態をバランスよく解除することができる。しかも、連結部５１の上端面が異物と干渉する可能性がロックアーム２４の保護によって低く抑えられ、リテーナ５０の係止解除操作の信頼性も確保できる。
【００４１】
＜他の実施形態＞
本発明は上記記述及び図面によって説明した実施形態に限定されるものではなく、例えば次のような実施形態も本発明の技術的範囲に含まれる。
（１）リテーナが本係止位置に保持されたときに、両アーム部の上端面の一部のみが外方に露出して配されるものであってもよい。
（２）両アーム部の露出面に指を宛がって、指押し操作によってリテーナの係止状態を解除してもよい。
（３）リテーナが本係止位置に保持されたときに、両アーム部の露出面がハウジングの上面と同じ高さ位置に配されるものであってもよい。
【図面の簡単な説明】
【００４２】
【図１】本発明の実施形態１に係るコネクタにおいて、リテーナを本係止位置に保持したハウジングの側断面図である。
【図２】リテーナを本係止位置に保持したハウジングの正面図である。
【図３】リテーナを本係止位置に保持したハウジングの側面図である。
【図４】リテーナを本係止位置に保持したハウジングの平面図である。
【図５】リテーナを本係止位置に保持したハウジングの縦断面図である。
【図６】リテーナを仮係止位置に保持したハウジングの縦断面図である。
【図７】ハウジングの側面図である。
【図８】リテーナの正面図である。
【図９】リテーナの平面図である。
【図１０】治具にハウジングを組み付ける前の状態を示す側面図である。
【図１１】治具にハウジングを組み付けた状態を示す側面図である。
【図１２】治具によりリテーナを仮係止位置に至らせた状態を示す側面図である。
【図１３】治具によりリテーナを本係止位置に至らせた状態を示す側面図である。
【図１４】本発明の実施形態２に係るコネクタにおいて、リテーナを本係止位置に保持したハウジングの概略正面図である。
【符号の説明】
【００４３】
１０、１０Ａ…コネクタ
２０…ハウジング
２１…キャビティ
３７…本係止部（ロック受け部）
４３…保護部
５０…リテーナ
５１…連結部
５２…アーム部
５４…抜止部
５５…ロック部
６１…張出部
６３…露出面
８０…端子金具
【図１】
2010067469.tif 000003
【図２】
2010067469.tif 000004
【図３】
2010067469.tif 000005
【図４】
2010067469.tif 000006
【図５】
2010067469.tif 000007
【図６】
2010067469.tif 000008
【図７】
2010067469.tif 000009
【図８】
2010067469.tif 000010
【図９】
2010067469.tif 000011
【図１０】
2010067469.tif 000012
【図１１】
2010067469.tif 000013
【図１２】
2010067469.tif 000014
【図１３】
2010067469.tif 000015
【図１４】
2010067469.tif 000016